(57)【要約】【課題】少ない工数をもって、容易且つ確実にミスコンバーゼンスの補正が実施可能な偏向ヨークおよび陰極線管装置を提供する。【解決手段】補正コイルユニット４４は、ボビン４４１の外面に２本のコイル線が互いに間隔をあけた状態で巻回されてなる巻線部４４２、４４３を有する。ボビン４４１の中空部分４４１ｅには、内面にボビン４４１の軸方向の端から端まで雌ネジが形成されている。そして、この中空部分４４１ｅには、上記雌ネジに対応する雄ネジが外周面に設けられた着磁コア４４４、４４５が挿入されている。着磁コア４４４、４４５は、ボビン４４１の中で、異なる極性を有する端面どうしが互いに向き合う方向に挿入されている。【選択図】      図３
2004335148.tif 000002
【特許請求の範囲】
【請求項１】
陰極線管内において、電子銃から出射された複数条の電子ビームに対し偏向磁界を作用させる一対の偏向コイルと、偏向コイルの通電回路に対して巻線部が電気的に直列に挿入されてなる一対の補正コイルとを有する偏向ヨークであって、
前記一対の補正コイルの各々は、前記巻線部の巻回軸方向に対して、相対位置が調整可能な着磁コアを有している
ことを特徴とする偏向ヨーク。
【請求項２】
前記一対の補正コイルは、筒状をした一つのボビンを共有して形成されており、各々の前記巻線部が、前記ボビンの外周面に互いに間隙をあけて形成され、且つ、各々の着磁コアが、前記ボビンの内方に配されている
ことを特徴とする請求項１に記載の偏向ヨーク。
【請求項３】
前記ボビンの内方において、前記一対の補正コイルが備える２つの着磁コアの間には、フェライトからなる磁界増強部材が配されている
ことを特徴とする請求項２に記載の偏向ヨーク。
【請求項４】
前記一対の偏向コイルは、前記複数条の電子ビームに対して水平偏向磁界を発生させる
ことを特徴とする請求項１から３の何れかに記載の偏向ヨーク。
【請求項５】
請求項１から４の何れかに記載の偏向ヨークを備えることを特徴とする陰極線管装置。
【発明の詳細な説明】
【０００１】
【発明の属する技術分野】
本発明は、偏向ヨークおよび陰極線管装置に関し、動コンバーゼンス補正技術に関する。
【０００２】
【従来の技術】
カラー陰極線管装置（以下、「カラーＣＲＴ装置」という。）では、電子銃から出射されたＲ、Ｇ、Ｂ用の３条の電子ビームを偏向ヨークにより偏向してパネル上を走査することで画像が表示される。このようなカラーＣＲＴ装置においては、パネルに沿って設けられたシャドウマスクで３条（Ｒ、Ｇ、Ｂ）の電子ビームが一点に集中するように設計がなされているが、製造バラツキやその他種々の要因によりパネルの周辺部に行くほどビームが集中しない現象（以下、「ミスコンバーゼンス」という。）を生じることがある。このようなミスコンバーゼンスは、色ずれや色むらの原因となる。
【０００３】
通常、カラーＣＲＴ装置では、インライン型電子銃が備えられていることが多いが、このようなカラーＣＲＴ装置では、水平偏向磁界のアンバランスなどに起因する弓形成分および差動成分のミスコンバーゼンスが特に問題となる。
このような弓形成分および差動成分のミスコンバーゼンスを補正（以下、それぞれ「弓形成分補正」、「差動成分補正」という。）するために、並列に接続された２つの水平偏向コイルの各々に対して、一方の水平偏向コイルに弓補正用のコイルを直列接続し、他方の水平偏向コイルに差動補正用のコイルを直列接続した偏向ヨークが開発されている（特許文献１）。
【０００４】
【特許文献１】
特開２０００−３２４５０７号公報
【０００５】
【発明が解決しようとする課題】
しかしながら、上記特許文献１に開示された偏向ヨークにおいては、それぞれの水平偏向コイルに対して弓形成分補正あるいは差動成分補正の内の一方の機能を有する補正コイルが接続されているのみであるので、ミスコンバーゼンスの補正作業が非常に困難である。具体的には、特許文献１の偏向ヨークでは、先ず差動成分補正用のコイルのインダクタンスを固定とみなして弓形成分補正用のコイルを調整し、次に弓形成分補正用のコイルのインダクタンスを固定とみなして差動成分補正用のコイルを調整することが開示されている。そして、上記偏向ヨークにおいては、この２つの補正操作（コイル調整）を複数回繰り返して実施することで、少しずつ２種類のミスコンバーゼンスを補正してゆく必要があり、調整作業に多くの工数を要することになる。
【０００６】
本発明は、このような問題を解決しようとなされたものであって、少ない工数をもって、容易且つ確実にミスコンバーゼンスの補正が実施可能な偏向ヨークおよび陰極線管装置を提供することを目的とする。
【０００７】
【課題を解決するための手段】
上記目的を達成するために、本発明は、陰極線管内において、電子銃（インライン型またはデルタ型）から出射された複数条の電子ビームに対し偏向磁界を作用させる一対の偏向コイルと、偏向コイルの通電回路に対して各々の巻線部が電気的に直列に挿入されてなる一対の補正コイルとを有する偏向ヨークであって、一対の補正コイルの各々が、巻線部の巻回軸方向に対して、相対位置が調整可能な着磁コアを有していることを特徴とする。
【０００８】
上記偏向ヨークでは、一対の偏向コイルの各々に直列接続された各補正コイルが弓形成分補正の機能と、差動成分補正の機能とを併せ持つ。即ち、この偏向ヨークでは、各補正コイルにおける巻線部と着磁コアとの相対位置を調整することで各偏向コイルに流れる偏向電流のバランスを変化させることができるので、偏向コイル間における偏向磁界の強度バランスの変更をもって弓形成分補正および差動成分補正の両補正が実施される。具体的には、両補正コイルにおいて、巻線部に対する着磁コアの相対位置が互いに対称関係となるように調整を実施すれば、弓形成分補正を実施することができ、このときの２つの補正コイルにおける巻回部と着磁コアとの相対距離の総和を保持した状態で、各補正コイルにおける巻線部と着磁コアとの相対位置が両コイルで逆比例するように移動させると、弓形成分補正の状態を保持したまま差動成分補正を実施することができる。
【０００９】
また、上記偏向ヨークにおいては、一対の補正コイルの各々が弓形成分補正および差動成分補正の両補正機能を有するので、例えば、弓形成分補正を実施した後に差動成分補正を実施した場合でも、上記特許文献１の偏向ヨークのように再び弓形成分のミスコンバーゼンスが生じるということがない。よって、本発明の偏向ヨークでは、上記特許文献１のように弓形成分補正と差動成分補正との補正ルーチンを複数回繰り返す必要がなく、作業性の面から優れている。
【００１０】
従って、本発明の偏向ヨークでは、少ない工数をもって容易且つ確実にミスコンバーゼンスの補正（弓形成分補正、差動成分補正）を実施することができる。
上記偏向ヨークにおける具体的な補正方法としては、各補正コイルの巻線部と着磁コアとの相対位置を変化させ、これによって当該補正コイルにおける磁界分布が変化し、そのインダクタンス値を増減することにより、一対の偏向コイルの各々に流れる電流値の大きさを増減することで、一対の偏向コイルの互いの間での偏向磁界の強度バランスを補正することができる。より具体的には、各補正コイルにおいて、電流が流れることで巻回部が発生する磁界の方向と、着磁コアのバイアス磁界の方向とが同じである場合には、相互の磁界が加算されることになり、逆の場合には、相互の磁界が打ち消しあうことになる。そして、磁界の加算が生じた場合には、インダクタンスが減少し、磁界の打ち消しが生じた場合には、インダクタンスが一定のまま維持される。
【００１１】
上記偏向ヨークにおいては、２つの補正コイルにおける巻回部と着磁コアとの相対距離の総和を維持した状態で、巻回部と着磁コアとの相対位置を移動させるには、２つの補正コイルにおける各巻線部を別々のボビンを用いて形成したような構成としてもよいが、筒状をした１つのボビンを共有して２つの巻線部を形成し、ボビンの外周面に互いに間隙をあけた状態で各巻線部を形成し、且つ、各々の着磁コアをボビンの内方に配しておくことが望ましい。このように２つの補正コイルを構成すれば、１ヶ所で２つの着磁コアの相対位置の調整を実施することができ、弓形成分補正と差動成分補正との両補正の実施が容易となる。
【００１２】
上記のように１つのボビンを共有した構造で一対の補正コイルを形成する場合には、一方の着磁コアの端面に係止部を設け、他方の着磁コアの端面に被係止部を設けておくことが望ましい。即ち、２つの着磁コアの端面どうしが接触状態となったとき、それぞれに設けられた係止部と被係止部とが係止状態となり、調整の際に一体に移動することになり、ミスコンバーゼンスを補正するための工数を削減するのに効果的である。
【００１３】
なお、上記偏向ヨークでは、そのインダクタンス値を確保するために、２つの補正コイルにおける各巻線部をボビンに対して少なくとも１重以上巻回しておくことが望ましい。
上記偏向ヨークでは、２つの補正コイルにおける巻線部と着磁コアとの関係を種々設定することができるが、中でも一対の補正コイルにおける巻線部を互いに同一方向となるようコイル線を巻回しておき、一対の補正コイルにおける着磁コアが、互いに同じ極性を有する部分どうしが向き合う状態となるように配しておくことが望ましい。
【００１４】
さらに、一対の補正コイルが共用するボビンの内方に着磁コアの他にフェライトからなる磁界増強部材を配するようにしておけば、インダクタンス値の補正範囲を大きくとることができるので望ましい。磁界増強部材の配置方法としては、２つの着磁コアの間に配置する方法、あるいは、各着磁コアの端面に接触または近接させた状態で配置する方法などを採用することができる。
【００１５】
上記偏向ヨークでは、水平偏向コイルおよび垂直偏向コイルの何れのコイルに対して上記構成を採用してもよいが、特に水平偏向コイルに対して接続すれば、ミスコンバーゼンスの補正に効果的である。
また、本発明の陰極線管装置は、上記偏向ヨークを備えることを特徴とする。
この陰極線管装置では、出荷前の調整（例えば、ＩＴＣ調整）の工程で、上記２つの着磁コアとそれに対応する巻線部との相対位置を調整することにより、容易にミスコンバーゼンスの調整（弓形成分補正、差動成分補正）を実施することができる。
【００１６】
従って、本発明の陰極線管装置では、偏向コイルに対して少ない工数をもって容易且つ確実にミスコンバーゼンスの補正を実施することができるので、高い画像品質が実現される。
【００１７】
【発明の実施の形態】
（全体構成）
本発明の実施の形態に係る陰極線管装置（以下、「ＣＲＴ装置」という。）について、図１および図２を用いて説明する。
図１に示すように、本発明の実施の形態に係るＣＲＴ装置１は、管本体１０、インライン型の電子銃２０、シャドウマスク３０および偏向ヨーク４０を主な構成要素として形成されている。この内、管本体１０は、内面に蛍光体層１１ｐが形成されたパネル部１１とこれに続く漏斗状のファンネル部１２、そして電子銃２０が内部に収納されたネック部１３とから構成されている。パネル部１１における蛍光体層１１ｐは、パネル部１１の形状およびシャドウマスク３０などに合わせて赤（Ｒ）、緑（Ｇ）、青（Ｂ）の３色の蛍光体が塗布され焼成されることで形成されている。
【００１８】
電子銃２０は、図１中のｘ方向に順に配列された３つの電子出射部２０Ｒ、２０Ｇ、２０Ｂを有している。図示はしていないが、各々の電子出射部２０Ｒ、２０Ｇ、２０Ｂには、電子レンズが形成されている。また、電子銃２０は、駆動回路（不図示）から入力される映像信号によって、各電子出射部２０Ｒ、２０Ｇ、２０Ｂからｚ方向にパネル部１１に向け電子ビーム（ＥＢＲ、ＥＢＧ、ＥＢＢ）を出射する。
【００１９】
シャドウマスク３０は、管本体１０のパネル部１１に沿った状態で配された金属薄板であって、多数の孔があけられている。電子銃２０から出射された３条の電子ビーム（ＥＢＲ、ＥＢＧ、ＥＢＢ）は、実際にはこのシャドウマスク３０の面上の１点で集中される（コンバーゼンス）。
偏向ヨーク４０は、管本体１０におけるネック部１３からファンネル部１２にかけての領域の外面に沿うように配置されている。図示はしていないが、偏向ヨーク４０には、主な構成要素として、管本体１０を挟んでｙ方向に対向配置された一対の水平偏向コイルと、管本体１０を挟んでｘ方向に対向配置された一対の垂直偏向コイルとを有する。偏向ヨーク４０は、駆動回路（不図示）からの偏向信号により、電子銃２０から出射された電子ビーム（ＥＢＲ、ＥＢＧ、ＥＢＢ）を、パネル１１の所要の位置に照射するように偏向する。
【００２０】
次に、図２に示すように、偏向ヨーク４０は、漏斗状をしたファンネル部１２の外面に沿う形状を有しており、絶縁性の枠体４１を挟んだ状態で内側に配された一対の水平偏向コイル（不図示）と、外側に配された一対の垂直偏向コイル（不図示）と、垂直偏向コイルの外側を覆うように配されたフェライト枠４２とを有している。図２に示すように、偏向ヨーク４０の枠体４１には、回路基板４３が取り付けられており、回路基板４３には、補正コイルユニット４４が実装されている。
【００２１】
補正コイルユニット４４は、水平偏向コイルからなる水平偏向回路に挿入されている。これについては、後述する。
（補正コイルユニット４４の構成）
図３に示すように、補正コイルユニット４４は、ボビン４４１の外面に２本のコイル線が互いに間隔をあけた状態で巻回されてなる巻線部４４２、４４３を有する。ボビン４４１の外面には、巻線部４４２、４４３をそれぞれ仕切るための仕切り壁４４１ａ、４４１ｂ、４４１ｃ、４４１ｄがそれぞれ設けられている。この内、仕切り壁４４１ａ、４４１ｄは、回路基板４３（図２参照。）に補正コイルユニット４４を固定するための足部を備えた形状となっている。
【００２２】
なお、巻線部４４２と巻線部４４３とは、ボビン４４１に対して各コイル線が同一方向に巻回され形成されている。
ボビン４４１は、筒状形状を有しており、中空部分４４１ｅに面する面に雌ネジが形成されている。中空部分４４１ｅにおける雌ネジは、ボビン４４１の軸方向の端から端まで形成されている。そして、図３では、ボビン４４１の外方に図示しているが、上記雌ネジに対応する雄ネジが外周面に設けられた着磁コア４４４、４４５が挿入されている。着磁コア４４４、４４５は、ボビン４４１の中で、異なる極性を有する端面どうしが互いに向き合う方向に挿入されている。
【００２３】
なお、本発明の実施の形態では、２つの着磁コア４４４、４４５の着磁量は、略同一としたが、後述するミスコンバーゼンスの補正において必用な場合には２つの着磁コアの着磁量を変えることもできる。
２つの着磁コア４４４、４４５の内、図３の左上方向から挿入される着磁コア４４４は、巻線部４４２に対して作用するものであり、右下方向から挿入される着磁コア４４５は、巻線部４４３に対して作用するものである。また、これら着磁コア４４４、４４５の端面には、アレンキーなどを用いて回転可能なように孔が設けられている。
【００２４】
図４に示すように、ボビン４４１内部における着磁コア４４２、４４３は、それぞれ回転させることで図の左右方向に移動させることができる。即ち、巻線部４４２、４４３とそれに対応する着磁コア４４４、４４５とは、着磁コア４４４、４４５を回転移動させることで、その相対位置が変動される。実際の着磁コア４４４、４４５の移動に際しては、ネジ４４１ｆのピッチを基にその移動量を設定することができる。例えば、ネジ４４１ｆをピッチ０．５（ｍｍ）で形成した場合には、１回転につき０．５（ｍｍ）着磁コア４４４、４４５を移動することができることになる。
【００２５】
また、図４に示すように、各着磁コア４４４、４４５の端面には、三角錐状の突起４４４ａ、４４４ｂ、４４５ａ、４４５ｂが設けられている。この突起４４４ａ、４４４ｂ、４４５ａ、４４５ｂは、着磁コア４４４と着磁コア４４５とが当接した場合において、２つの着磁コア４４４、４４５を連動して移動させることができるように設けられている。即ち、着磁コア４４４と着磁コア４４５とが当接した場合には、突起４４４ｂと突起４４５ａとが噛み合うことで、これら２つの着磁コア４４４、４４５を連動して移動させることができる。
【００２６】
なお、本発明の実施の形態では、各着磁コア４４４、４４５の両端面に突起４４４ａ、４４４ｂ、４４５ａ、４４５ｂを設けているが、これは、製造上の汎用性を考慮したものであって、少なくとも当接する可能性のある面に形成しておけばよい。具体的には、図４における突起４４４ｂと突起４４５ａとを形成しておけば足りる。
【００２７】
また、本発明の実施の形態においては、各着磁コア４４４、４４５の一端面に対して、各々１つの突起部（４４４ａ、４４４ｂ、４４５ａ、４４５ｂ）を形成することとしたが、着磁コア４４４と着磁コア４４５とが当接した場合に噛み合えば、突起部の形成数は、これに限定を受けるものではない。例えば、各々２つ、３つというように複数形成されていても構わないし、対する面に形成された突起数が異なっていても構わない。
（水平偏向回路の回路構成）
次に、偏向ヨーク４０における水平偏向回路の回路構成について、図５を用いて説明する。図５は、水平偏向回路の内、本発明の実施の形態での特徴部分である水平偏向コイル４５Ｕ、４５Ｌと補正コイルユニット４４とを抜き出して図示している。
【００２８】
図５に示すように、一対の水平偏向コイル４５Ｕ、４５Ｌは、並列接続されている。そして、補正コイルユニット４４における各巻線部４４２、４４３は、各々水平偏向コイル４５Ｕ、４５Ｌに対して直列に挿入されている。
上記構成の水平偏向回路には、パネル部１１に対する偏向方向に応じて偏向電流ＩＡ、ＩＢが流れる。偏向電流ＩＡ、ＩＢは、時間軸を横軸にとってみたとき、鋸状の波形を有する。即ち、パネル部１１の中心よりも左方向に電子ビーム（ＥＢＲ、ＥＢＧ、ＥＢＢ）を偏向させるには、偏向電流ＩＡを流し、右方向に電子ビーム（ＥＢＲ、ＥＢＧ、ＥＢＢ）を偏向させるには、偏向電流ＩＢを流すことになる。
【００２９】
ボビン４４１の内方に挿入された着磁コア４４４、４４５は、ともに図の上方向に極性（Ｎ）を有する部分がくるように配置されており、図の上下方向に各々独立した状態で移動可能となっている。
（ミスコンバーゼンスの補正方法）
上記ＣＲＴ装置においては、組み立て直後の状態ではその製造バラツキやミスマッチングなどにより種々のミスコンバーゼンスが生じ得る状態にある。以下では、このように生じるミスコンバーゼンスの内、水平方向への偏向時に生じる弓形成分補正と差動成分補正との両補正するための方法を、図６〜図８を用いて説明する。
【００３０】
なお、以下では、説明の便宜上、ミスコンバーゼンスの補正にあたり、弓形成分補正と差動成分補正とを分けて説明する。
（１）弓形成分補正
図６（ａ）、（ｂ）に示すように、弓形成分補正を実施するに当たっては、両巻線部４４２、４４３の実効中心Ｌ４４に対して、２つの着磁コア４４４、４４５の軸方向中心Ｌ４４４、Ｌ４４５までの距離Ｘ１Ｕ、Ｘ２Ｕ、Ｘ１Ｌ、Ｘ２Ｌが等しい状態を維持したまま、両着磁コア４４４、４４５を移動させる。このとき、実効中心Ｌ４４から巻線部４４２、４４３の各中心Ｌ４４２、Ｌ４４３までの距離ＸＣＵ、ＸＣＬと、上記距離Ｘ１Ｕ、Ｘ２Ｕ、Ｘ１Ｌ、Ｘ２Ｌとの差分が巻線部４４２、４４３と着磁コア４４４、４４５との各相対距離となる。
【００３１】
弓形成分補正は、図６（ａ）の状態から図６（ｂ）の状態、あるいはその逆へと着磁コア４４４、４４５を移動させることで実現される。そのメカニズムは、着磁コア４４４、４４５を巻線部４４２、４４３に対して移動させることで、水平偏向電流ＩＡ、ＩＢが流れた際に巻線部４４２、４４３で発生する磁界と、着磁コア４４４、４４５のバイアス磁界との加算または打ち消しをもって、各巻線部４４２、４４３のインダクタンスの増減をはかり、これら水平偏向コイル４５Ｕ、４５Ｌに流れる電流のアンバランスを生じさせる。そして、各水平偏向コイル４５Ｕ、４５Ｌから発生される磁界強度は、そこに流れる電流値によって決まり、管本体１０内での磁界の中心が垂直方向に偏位される。これによって、３条の電子ビームの内、Ｒの電子ビームＥＢＲとＢの電子ビームＥＢＢとには、垂直方向（上記図１におけるｙ方向）にそれぞれ逆向きのローレンツ力が加わり、電子ビームＥＢＲ、ＥＢＢの補正が実施できる。
【００３２】
また、左偏向時に水平偏向回路に流れる電流ＩＡと、右偏向時に水平偏向回路に流れる電流ＩＢとは、流れる方向が逆であるため、水平偏向コイル４５Ｕと水平偏向コイル４５Ｌとが発生する磁界の強度および磁界の方向が逆転する。そのため、電子ビームＥＢＲ、ＥＢＢには、左偏向時と右偏向時とで垂直方向において同一方向のローレンツ力が作用することになり、弓形成分補正がなされる。即ち、図８（ａ）に示すパターンの弓形成分のミスコンバーゼンスを、図８（ｃ）に示す状態へと補正することができる。
【００３３】
なお、ここでいう左偏向、右偏向とは、パネル部１１の側から電子銃の側に向けた方向にＣＲＴ装置１を見た際の偏向方向である。
以下では、上述の弓形成分補正を実施する場合に、電子ビームＥＢＲ、ＥＢＢに作用するローレンツ力について、図７を用いて説明する。図７は、パネル部１１の側から電子銃２０の側を見たときの各電子ビームＥＢＲ、ＥＢＢに作用するローレンツ力を示す概念図であり、（ａ）が左偏向時を示し、（ｂ）が右偏向時を示す。
（１−１）左偏向時
左偏向時においては、上記図５の水平偏向回路には、電流ＩＡが流され、上側の水平偏向コイル４５Ｕに直列接続された巻線部４４２の磁界が着磁コア４４４のバイアス磁界により打ち消されて、インダクタンスは一定のまま維持される。これに対して、下側の水平偏向コイル４５Ｌに直列接続された巻線部４４３では、その磁界が着磁コア４４５のバイアス磁界と加算され、これによって、マグネット（着磁コア４４５）の磁気飽和が生じ、インダクタンスが極端に減少する。そして、上側の水平偏向コイル４５Ｕに流れる電流は、下側の水平偏向コイル４５Ｌに流れる電流よりも小さくなる。
【００３４】
図７（ａ）に示すように、上記電流のアンバランスにより、上側の水平偏向コイル４５Ｕが発生する磁界が下側の水平偏向コイル４５Ｌが発生する磁界に対して相対的に小さくなり、磁界の垂直方向における中心軸が下側に偏位されることになる。これにより、電子ビームＥＢＲに作用する磁界の磁力線と、電子ビームＥＢＢに作用する磁界の磁力線とは、互いに逆向きの角度を有する。そして、電子ビームＥＢＲ、ＥＢＢの各々には、ローレンツ力ｆ１、ｆ２が作用する。よって、図８（ａ）に示すようなミスコンバーゼンスのパターン（弓形成分）に対して、パネル部１１の左側において、Ｒは下向きの補正が加えられ、Ｂは上向きの補正が加えられる。
（１−２）右偏向時
一方、右偏向時においては、上記図５の水平偏向回路には、上記左偏向時とは逆向きの電流ＩＢが流され、上側の水平偏向コイル４５Ｕに直列接続された巻線部４４２の磁界が着磁コア４４４のバイアス磁界と加算され、インダクタンスが増加する。これに対して、下側の水平偏向コイル４５Ｌに直列接続された巻線部４４３では、その磁界が着磁コア４４５のバイアス磁界により打ち消され、これによってインダクタンスは一定のまま維持される。これによって、上側の水平偏向コイル４５Ｕに流れる電流は、下側の水平偏向コイル４５Ｌに流れる電流よりも大きくなる。
【００３５】
図７（ｂ）に示すように、上記電流のアンバランスにより、上側の水平偏向コイル４５Ｕが発生する磁界が下側の水平偏向コイル４５Ｌが発生する磁界に対して相対的に大きくなり、磁界の垂直方向における中心軸が上側に偏位されることになる。これにより、電子ビームＥＢＲに作用する磁界の磁力線と、電子ビームＥＢＢに作用する磁界の磁力線とは、互いに逆向きの角度を有する（上記左偏向時とは反対の関係を有する。）。そして、電子ビームＥＢＲ、ＥＢＢの各々には、ローレンツ力ｆ３、ｆ４が作用する。よって、図８（ａ）に示すようなミスコンバーゼンスのパターン（弓形成分）に対して、パネル部１１の左側においても、上記左偏向時と同様に、Ｒは下向きの補正が加えられ、Ｂは上向きの補正が加えられる。
【００３６】
従って、図８（ａ）に示す弓形成分のミスコンバーゼンスは、着磁コア４４４、４４５と各々に対応する巻線部４４２、４４３との相対位置を調整することで補正され、図８（ｃ）に示すようにＲ、Ｇについてもパネル部１１の水平軸に対して平行となる。
以上のような操作をもって、本発明の実施の形態に係るＣＲＴ装置１では、弓形成分補正が実施される。
（２）差動成分補正
図６（ｃ）、（ｄ）に示すように、差動成分補正を実施しようとする場合には、上記弓形成分補正を実施した際の着磁コア４４４と着磁コア４４５との間隔（ボビン４４１の軸方向）を維持した状態で、それぞれを並行して移動させる。例えば、図６（ｃ）に示すように、着磁コア４４４と着磁コア４４５とが当接している場合には、当接された状態を維持しながらこれらを一体に移動させる。
【００３７】
この場合に、補正コイルユニット４４における実効中心Ｌ４４に対する巻線部４４２、４４３の軸方向の各中心までの距離ＸＣＵ、ＸＣＬは同一であり、これらに対する各着磁コア４４４、４４５の相対位置が並行に移動される。つまり、実効中心Ｌ４４から着磁コア４４４の中心Ｌ４４４までの距離Ｘ３Ｕが、着磁コア４４５の中心Ｌ４４５までの距離Ｘ３Ｌに差異を生じることになる。
【００３８】
また、図６（ｄ）に示すように、弓形成分補正を実施した状態で、着磁コア４４４の中心Ｌ４４４と着磁コア４４５の中心Ｌ４４５とが（Ｘ４Ｕ＋Ｘ４Ｌ）離れた状態である場合には、この間隔（Ｘ４Ｕ＋Ｘ４Ｌ）を維持した状態でそれぞれの着磁コア４４４、４４５を並行に移動させる。
このように、着磁コア４４４、４４５を、その間の間隔を維持した状態で移動させると、右偏向時および左偏向時の両方において、同一の傾向をもって発生する磁界のバランスを変化させることができる。これによって、図８（ｂ）に示すように差動成分補正することができ、図８（ｃ）に示すようなミスコンバーゼンスの無い状態へと補正できる。
【００３９】
以上のように、本発明の実施の形態に係るＣＲＴ装置１では、偏向ヨーク４０の補正コイルユニット４４における巻線部４４２と着磁コア４４４、および巻線部４４３と着磁コア４４５の各々の組み合わせの補正コイル部に、各々弓補正機能と差動成分補正の機能とを併せ持たせている。
従って、ＣＲＴ装置１では、弓形成分補正を実施し、その後に差動成分補正を実施した場合にも、先に補正した弓形成分補正を再度実施する必要は無い。これは、特許文献１のように、弓形成分補正の機能と差動成分補正の機能という全く異なる２つの機能をそれぞれ有する補正コイルを各々１つづつ水平偏向回路に組み込んでいる場合と異なり、本ＣＲＴ装置１では、それぞれの水平偏向コイル４５Ｕ、４５Ｌに対して弓形成分補正の機能と差動成分補正の機能とを併せ持つ補正コイルを接続しているためである。よって、ＣＲＴ装置１では、少ない工数をもって容易且つ確実にミスコンバーゼンスの補正（弓形成分補正、差動成分補正）を実施することができる。
【００４０】
なお、実験データなどは添付していないが、本発明者が効果の確認を実施したところ、例えば、２２インチＣＭ管において、±０．２ｍｍのコンバーゼンス補正量を確保することができた。
（変形例）
変形例に係る補正コイルユニット４６について、図９を用いて上記補正コイルユニット４４との相違点を中心に説明する。図９は、補正コイルユニット４６の断面図である。
【００４１】
図９に示すように、補正コイルユニット４６が上記補正コイルユニット４４と構造上異なる点は、ボビン４４１と各着磁コア４４６、４４７との間に可動スリーブ４４８が挿入されているところにある。可動スリーブ４４８の内外両表面には、ボビン４４１の中空部分４４１の内面に形成されたネジ４４１ｆおよび着磁コア４４６、４４７の外面に形成されたネジのそれぞれに対応するネジが形成されている。
【００４２】
上記構造の補正コイルユニット４６を備えるＣＲＴ装置では、ミスコンバーゼンスの補正を、以下の手順で実施することができる。
先ず、弓形成分のミスコンバーゼンスに対しては、可動スリーブ４４８をボビン４４１の軸方向略中央部に固定しておき、着磁コア４４６、４４７を移動させる。基本的な補正方法に関しては、上記図６（ａ）、（ｂ）と同様である。
【００４３】
次に、弓形成分補正が終了した補正コイルユニット４６に対しては、可動スリーブ４４８を回転移動させる。このように可動スリーブ４４８を移動させることにより、補正コイルユニット４６では、弓形成分補正において設定した着磁コア４４６と着磁コア４４７との位置関係を維持した状態で、容易に差動成分補正を実施することができる。つまり、本変形例の補正コイルユニット４６では、上記補正コイルユニット４４よりも飛躍的容易に差動成分補正を実施することができる。
（その他の事項）
上記発明の実施の形態および変形例では、巻線部４４２、４４３が１つのボビン４４１を用いて形成された形態のものを一例として用いたが、ボビンは必ずしも共用する必要はない。即ち、巻線部４４２、４４３毎にボビンを設けても良い。
【００４４】
また、各巻線部４４２、４４３に対する着磁コアの挿入個数は、上記発明の実施の形態および変形例では各１個としたが、これに限定されるものではない。例えば、磁性の異なる着磁コアを種々用意しておき、調整時の必要に応じて個数を増減していっても良い。
また、２つの巻線部４４２、４４３の巻回方向、あるいは、着磁コア４４４、４４５、４４６、４４７の挿入方向などについても、上記発明の実施の形態および変形例に限定を受けるものではない。
【００４５】
また、上記補正コイルユニット４４、４６におけるボビン４４１の内方に着磁コア４４４、４４５、４４６、４４７の他にフェライトを挿入することで、磁界強度を向上させることもできる。この際、フェライトの挿入数は、１個でもよいし、各着磁コア４４４、４４５、４４６、４４７に対応させて複数個であってもよい。
【００４６】
さらに、上記実施の形態では、ボビン４４１の内方に２つの着磁コア４４４、４４５を配し、上記変形例では、それに加えてスリーブ４４８を配したが、これらの他に、磁界増強部材としてのフェライトを配しておくと、磁界が増強されるので望ましい。また、フェライトを含む材料で各着磁コア４４４、４４５を作製しておいても磁界を増強させる効果が得られる。
【００４７】
また、上記実施の形態におけるＣＲＴ装置１は、本発明の構成および作用の特徴を説明するための一例であり、本発明は、上記実施の形態に限定を受けるものではない。
【００４８】
【発明の効果】
以上説明のように、本発明の偏向ヨークは、一対の偏向コイルの各々に直列接続された各補正コイルが弓形成分補正の機能と、差動成分補正の機能とを併せ持つ。即ち、この偏向ヨークでは、各補正コイルにおける巻線部と着磁コアとの相対位置を調整することで各偏向コイルに流れる偏向電流のバランスを変化させることができるので、偏向コイル間における偏向磁界の強度バランスの変更をもって弓形成分補正および差動成分補正の両補正が実施される。具体的には、両補正コイルにおいて、巻線部に対する着磁コアの相対位置が互いに対称関係となるように調整を実施すれば、弓形成分補正を実施することができ、このときの２つの補正コイルにおける巻回部と着磁コアとの相対距離の総和を保持した状態で、各補正コイルにおける巻線部と着磁コアとの相対位置が両コイルで逆比例するように移動させると、弓形成分補正の状態を保持したまま差動成分補正を実施することができる。
【００４９】
また、上記偏向ヨークにおいては、一対の補正コイルの各々が弓形成分補正および差動成分補正の両補正機能を有するので、例えば、弓形成分補正を実施した後に差動成分補正を実施した場合でも、上記特許文献１の偏向ヨークのように再び弓形成分のミスコンバーゼンスが生じるということがない。よって、本発明の偏向ヨークでは、上記特許文献１のように弓形成分補正と差動成分補正との補正ルーチンを複数回繰り返す必要がなく、作業性の面から優れている。
【００５０】
従って、本発明の偏向ヨークでは、少ない工数をもって容易且つ確実にミスコンバーゼンスの補正（弓形成分補正、差動成分補正）を実施することができる。また、本発明の陰極線管装置は、上記偏向ヨークを備えるので、少ない工数をもって容易且つ確実にミスコンバーゼンスの補正（弓形成分補正、差動成分補正）を実施することができるので、高い画像品質が実現される。
【図面の簡単な説明】
【図１】本発明の実施の形態に係る陰極線管装置１の外観斜視図（一部断面図）である。
【図２】図１の陰極線管装置１に装着されている偏向ヨーク４０の外観斜視図である。
【図３】図２における偏向ヨーク４０に備えられている補正コイルユニット４４の詳細図である。
【図４】補正コイルユニット４４の断面図である。
【図５】偏向ヨーク４０における水平偏向回路図である。
【図６】補正コイルユニット４４における補正コイル４４２、４４３とコア４４４、４４５との相対的な位置関係を示す模式図である。
【図７】補正コイルユニット４４を用いて弓形成分補正を実施する際に、各電子ビームＥＢＲ、ＥＢＧ、ＥＢＢに作用するローレンツ力を示す概念図である。
【図８】スクリーン上における各ミスコンバーゼンスを示すパターン図である。
【図９】変形例に係る補正コイルユニット４６の断面図である。
【符号の説明】
１．  陰極線管装置
１０．  陰極線管本体
２０．  電子銃
３０．  シャドウマスク
４０．  偏向ヨーク
４４、４６．  補正コイルユニット
４５Ｕ、４５Ｌ．  水平偏向コイル
４４４、４４５、４４６、４４７．  磁性コア
４４８．  可動スリーブ
【図１】
2004335148.tif 000003
【図２】
2004335148.tif 000004
【図３】
2004335148.tif 000005
【図４】
2004335148.tif 000006
【図５】
2004335148.tif 000007
【図６】
2004335148.tif 000008
【図７】
2004335148.tif 000009
【図８】
2004335148.tif 000010
【図９】
2004335148.tif 000011